(57)【要約】【課題】エレベータシャフトなどの増設により既存建物に与える影響を小さくすることができ、また地震時におけるエレベータシャフトそのものの損傷も未然に防止することである。【解決手段】既存中高層建物１２に隣接して増設され、その各階床部２２に連通する接続通路２４及び屋根部２０を形成した内部中空の昇降路構造物１０において、前記昇降路構造物１０の固有周期に応じて屋根部２０または任意の階の接続通路２４の一カ所を既存建物１２に連結し、他の階は非連結状態とする。【選択図】      図２
2004353345.tif 000002
【特許請求の範囲】
【請求項１】
既存中高層建物に隣接して増設され、その各階床部に連通する接続通路及び屋根部を形成した内部中空の昇降路構造物において、
前記昇降路構造物の固有周期に応じて屋根部またはいずれか任意の階の接続通路を既存建物に連結し、他の階は非連結状態とすることを特徴とする既存建物と昇降路増設構造物との接合構造。
【請求項２】
請求項１において、前記連結部位が屋根部または上層階の接続通路であることを特徴とする既存建物と昇降路構造物との接合構造。
【発明の詳細な説明】
【０００１】
【発明の属する技術分野】
本発明は、耐震性を考慮した既存建物と昇降路構造物の接合構造に関するものである。
【０００２】
【従来の技術】
３〜５階建ての既存中高層住宅には、エレベータが設置されていないものがある。一方、高齢化が急速に進みつつある現代社会では、バリアフリー化に対する要求が大きく、既存の中高層住宅でもエレベータを設置することが強く望まれている。
【０００３】
そこで、複数のプレキャストコンクリート製のエレベータシャフトユニットを予め製作しておき、増築現場にて前記シャフトユニットを積上げて互いに接合するとともに、既存建物の床面を前記エレベータシャフトユニットの出入口部に接続するエレベータシャフトの増築方法が開発されている（特許文献１）。
【０００４】
この方法においては、図３に示すように、既存建物１の各階踊場床面１ａとエレベータシャフト２の各階出入口部とを床パネル２ａを介して連結し、またエレベータシャフト２の最上部に配置される屋根部２ｂを既存建物１の最上部に連結している。
【０００５】
この構造における耐震検討は、エレベータシャフトの重量を既存建物に付加して行っていたが、エレベータが設置されていない既存建物は昭和５５年以前の古い建物が多く、前記のように連結すると、既存建物の耐震性を確保するためには、別途、耐震補強を行う必要があった。
【０００６】
【特許文献１】
特開２００１−１９９５６０号公報
【０００７】
【発明が解決しようとする課題】
しかしながら、実際の既存建物１は、建設当時の設計図書も残っていない場合が多く、また、躯体内部の配筋など不明なものも多く、耐震診断が困難を極めることが多い。また、既存建物１の地震時における揺れは比較的短周期である反面、前記エレベータシャフト２の揺れは縦長であることに起因して比較的長周期であるため、地震時に既存建物１の層間変形にともなう強制変形をエレベータシャフト２が受けやすく、エレベータシャフト２あるいは各階接続通路２ａや屋根部２ｂなどが損傷しないように補強する必要がある。
【０００８】
本発明は、以上の課題を解決するものであり、その目的は、エレベータシャフトなどの増設により既存建物に与える影響を小さくすることができ、また地震時におけるエレベータシャフトそのものの損傷も未然に防止できるようにした既存建物と昇降路構造物の接合構造を提供するものである。
【０００９】
【課題を解決するための手段】
前記目的を達成するため本発明は、既存中高層建物に隣接して増設され、その各階床部に連通する接続通路及び屋根部を形成した内部中空の昇降路構造物において、前記昇降路構造物の固有周期に応じて屋根部またはいずれか任意の階の接続通路を既存建物に連結し、他の階は非連結状態とすることを特徴とするものである。
【００１０】
従って、本発明では、いずれか任意の階の昇降路構造物のみが既存建物に連結されているため、地震時には昇降路構造物はその連結点を基点に最適周期で揺れ、既存建物にその揺れによる耐震性低下をもたらすことや、強制振動による昇降路構造物自体の損傷を防止できる。
【００１１】
また、本発明では、請求項１において、前記連結部位が屋根部または上層階接続通路であることにより、その下部の各接続通路と床部分との相対変位量を小さくすることができる。
【００１２】
【発明の実施の形態】
以下、本発明の好ましい実施の形態につき、添付図面を参照して詳細に説明する。図１は本発明が適用されるユニット式エレベータシャフトの全体構造を示し、図２（ａ）は同エレベータシャフトと既存建物に対する取付け状態を示す側面図である。
【００１３】
同図におけるエレベータシャフト１０は、例えば、二世帯１共同階段方式の５階建ての既存建物１２に増設されるものであり、既存建物１２の階段位置の外側に対向してエレベータシャフト１０が増築される。
【００１４】
エレベータシャフト１０は、現場施工される基礎土台１４上にプレキャストコンクリート（以下ＰＣａと略記する）製の基礎ユニット１６を設置し、このＰＣａ基礎ユニット１６上に、同じく１階〜５階用ＰＣａシャフトユニット１８をそれぞれ連続して積上げ、最上部を既存建物１２の庇２０ａなどに連続するＰＣａ屋根ユニット２０で覆い、さらに、２階〜４階用シャフトユニット１８の上部に踊場など既存の床２２と連通するＰＣａ床パネル２４を連結したものである。
【００１５】
基礎ユニット１６及び各シャフトユニット１８は角筒型をなし、その内側四隅に柱部１６ａ，１８ａを一体に形成し、さらには、各シャフトユニット１８の一側部には出入口用開口部１８ｂを開口させている。これら各ユニット１６，１８はその柱部１６ａ，１８ａの上部に突出する柱主筋２６を介して一体に接合される。
【００１６】
なお、２階用シャフトユニット１８は他とは異なり、無開口タイプとしている。これは地上階及び各中間階の踊場からエレベータに出入りできるようにエレベータシャフト１０が増築されるためで、中二階では半階分だけ下れば地上階におりることができるからである。
【００１７】
そして、地震などによる既存建物１２の水平周期は、各階毎に層間変位を生じさせる周期と仮定し、かつエレベータシャフト１０がその２倍の周期を持つものと仮定し、これらの仮定を前提条件として、５階の床２２と５階用ＰＣａ床パネル２４のみを連結し（図２中○で示す）、ＰＣａ屋根ユニット２０及び下階のＰＣａ床パネル２４は既存建物１２とは全て切離しておく。
【００１８】
なお、５階を除く各階のＰＣａ床パネル２４は、通常では既存建物と同一平面で水平に連続すべくフレキシブルジョイントなどにより各階床２２と接続しておくことは勿論である。
【００１９】
以上の構造において、実際に地震により、図２（ｂ）に示すように水平力Ｆが作用し、所定の振幅Ｗで揺れが生じたとすると、既存建物１２及びエレベータシャフト１０が同一振幅Ｗで水平変位し、既存建物とエレベータシャフト１０は５階床部分を共有点としてそれぞれの周期で揺れる。
【００２０】
この場合、２階、４階の床部分及び５階の屋根部分ではエレベータシャフト１０の振幅はほぼ１／２Ｗであり、揺れ方向は既存建物１２と同一である。これに対し、３階部分ではエレベータシャフト１０の振幅はＷであって、既存建物１２とは逆向きの揺れとなる。
【００２１】
従って、３階部分の既存床２２とＰＣａ床パネル２４との離間間隔を予期される振幅Ｗの二倍に設定しておくことにより、５階における連結点を共有点として、互いにそれぞれの固有周期により水平変位することになり、エレベータシャフト１０の増設により、既存建物１２に対する負荷をかけることなく、またその逆にエレベータシャフト１０が損傷を受けることなく個々の周期で独立して水平変位することになる。
【００２２】
以上に加え、既存建物１０の耐震性が低い場合であっても、一カ所で現在の耐震強度に設計されたエレベータシャフト１２で支えられ、いわばつっかい棒としての機能が発揮されるため、既存建物１０単独の場合に比べて建物そのものの耐力も若干向上するものとなる。
【００２３】
なお、以上の実施形態では、既存建物１２の震動周期を各階毎の層間変位とし、エレベータシャフト１０がその二倍の周期を持つものと仮定して説明したが、これは単なる説明のための便宜的なものであり、必ずしも整数値とはならない。それ故、実用化にあたっては実際の振動周期を予め測定したうえで、計算上互いに最も影響の少ない連結点を設定すればよい。
【００２４】
さらには、実施形態で示したように、５階建て建物であれば、５階の床部あるいは屋根部位置を連結点とするなど、より高い階の一カ所の接続部分を連結点とすることで、下階におけるＰＣａ床パネル２４と既存床２２の相対変位量を小さくすることができる。
【００２５】
【発明の効果】
以上の説明により明らかなように、本発明による既存建物と昇降路構造物との接合構造にあっては、エレベータシャフトなどの増設により既存建物に与える影響を小さくすることができ、また地震時におけるエレベータシャフトそのものの損傷も未然に防止できる。
【図面の簡単な説明】
【図１】本発明の接合構造が適用されるエレベータシャフトの分解斜視図である。
【図２】（ａ）は同既存建物に対するエレベータシャフトの接合状態を示す側面図、（ｂ）は同地震作用時の水平変位状態を示す側面図である。
【図３】従来の既存建物とエレベータシャフトの接合状態を示す側面図である。
【符号の説明】
１０  エレベータシャフト
１２  既存建物
２０  ＰＣａ屋根ユニット（屋根部）
２０ａ  庇
２２  床面（既存構造物）
２４  ＰＣａ床パネル（接続通路）
【図１】
2004353345.tif 000003
【図２】
2004353345.tif 000004
【図３】
2004353345.tif 000005